(57)【要約】【課題】ユーザーが知りたい情報機器の操作方法を当該ユーザーに正確に伝達することが可能な技術を提供する。【解決手段】情報機器１０は、操作部２と、機能起動部１ａと、操作誘導部９とを備えている。機能起動部１ａは、操作部２に対して所定の操作が実行されると所定の機能を起動する。操作誘導部９は、情報機器１０とは別の情報機器で生成された、所定の機能を起動するための操作を示す操作データＯＤが通信を介して入力され、当該操作データＯＤに基づいて、操作部２に対する操作を誘導する視聴覚認識可能出力を行う。【選択図】図２
2006331153.tif 000002
【特許請求の範囲】
【請求項１】
他の情報機器と通信を行う情報機器であって、
操作部と、
前記操作部に対して所定の操作が実行されると所定の機能を起動する機能起動部と、
前記他の情報機器から出力される、前記所定の操作を示す操作データが通信を介して入力され、当該操作データに基づいて、前記所定の操作を誘導する視聴覚認識可能出力を行う操作誘導部と
を備える、情報機器。
【請求項２】
請求項１に記載の情報機器であって、
前記所定の操作は、複数の一連の操作を含み、
前記操作誘導部は、前記一連の操作において、ある一つの操作が完了するとはじめて次の操作を誘導する視聴覚認識可能出力を行う、情報機器。
【請求項３】
請求項１に記載の情報機器であって、
前記操作部は複数の操作キーを含み、
前記操作誘導部は、前記複数の操作キーを照明することによって前記所定の操作を誘導する視聴覚認識可能出力を行う、情報機器。
【請求項４】
請求項１に記載の情報機器であって、
前記操作部は複数の操作キーを含み、
前記操作誘導部は、
前記複数の操作キーを図示する表示部を有し、
前記表示部に図示される前記複数の操作キーを利用して、前記所定の操作を誘導する視聴覚認識可能出力を行う、情報機器。
【請求項５】
請求項１乃至請求項４のいずれか一つに記載の情報機器と、
前記情報機器とネットワークで接続されている第２の情報機器とを備え、
前記第２の情報機器は、前記操作データを生成して、当該操作データを前記ネットワークを通じて前記情報機器に入力する、情報機器システム。
【請求項６】
請求項５に記載の情報機器システムであって、
前記第２の情報機器は、
前記情報機器に対する前記所定の操作と同一の操作を実行することが可能な操作部と、
当該操作部に対して前記同一の操作が実行されると、前記情報機器が起動する前記所定の機能と同一の機能を起動することが可能な機能起動部と、
当該操作部に対して前記同一の操作が実行されると、当該同一の操作に基づいて前記操作データを生成することが可能な操作データ生成部と
を備える、情報機器システム。
【発明の詳細な説明】
【技術分野】
【０００１】
本発明は、所定の操作が実行されると所定の機能を起動する情報機器及び当該情報機器を備える情報機器システムに関する。
【背景技術】
【０００２】
近年、携帯電話機やＰＤＡ（Ｐｅｒｓｏｎａｌ  Ｄｉｇｉｔａｌ  Ａｓｓｉｓｔａｎｔｓ）などの情報機器においては、高機能化にともなって、所定の機能を起動させるための操作が複雑になってきている。例えば携帯電話機においては、着信音量を変更するために操作キーを１０回以上押下することがある。そのため、情報機器の操作方法をユーザーに正確に伝達する手段がますます重要となってきている。
【０００３】
なお、情報機器に関する技術として、遠隔地にある携帯端末装置をメール機能を用いて操作する方法が特許文献１に開示されている。
【０００４】
【特許文献１】特開２００２−３３８２２号公報
【発明の開示】
【発明が解決しようとする課題】
【０００５】
情報機器の操作方法を伝達する手段としては、取扱説明書や当該情報機器に搭載されているヘルプ機能などがある。しかしながら、これらの方法では説明が複雑になりがちであり、また膨大な操作情報の中から必要な操作情報だけを取り出すことも容易ではないため、ユーザーが知りたい操作方法を当該ユーザーに正確に伝達することは困難であって、十分な伝達効果を得ることができないことがある。
【０００６】
また他の方法として、操作方法を知らないユーザーに対して、操作方法を知っている他のユーザーが説明する方法が考えられる。この方法は、操作方法を知っている他のユーザーが隣にいて当該ユーザーから直接操作を教えてもらえる場合には効果的な伝達方法であるかもしれないが、例えば遠距離にいる他のユーザーから操作方法を教えてもらう場合には、電話や電子メール等によって操作方法が伝達されることになり、このときには、上記の取扱説明書やヘルプ機能での伝達と同様に説明が複雑になりがちであり、十分な伝達効果が得られないことがある。
【０００７】
そこで、本発明は上述の問題に鑑みて成されたものであり、ユーザーが知りたい情報機器の操作方法を当該ユーザーに正確に伝達することが可能な技術を提供することを目的とする。
【課題を解決するための手段】
【０００８】
この発明の情報機器は、他の情報機器と通信を行う情報機器であって、操作部と、前記操作部に対して所定の操作が実行されると所定の機能を起動する機能起動部と、前記他の情報機器から出力される、前記所定の操作を示す操作データが通信を介して入力され、当該操作データに基づいて、前記所定の操作を誘導する視聴覚認識可能出力を行う操作誘導部とを備える。
【０００９】
また、この発明の情報機器システムは、本発明に係る情報機器と、前記情報機器とネットワークで接続されている第２の情報機器とを備え、前記第２の情報機器は、前記操作データを生成して、当該操作データを前記ネットワークを通じて前記情報機器に入力する。
【発明の効果】
【００１０】
この発明の情報機器及び情報機器システムによれば、他の情報機器から出力される操作データに基づいて、所定の操作を誘導する視聴覚認識可能出力が行われるため、当該他の情報機器を利用して、ユーザーが知りたい操作方法を当該ユーザーに正確に伝達することができる。
【発明を実施するための最良の形態】
【００１１】
図１は本発明の実施の形態に係る情報機器システム１００の構成を示すブロック図である。図１に示されるように、本実施の形態に係る情報機器システム１００は、ユーザー１０ａによって操作される情報機器１０と、ユーザー２０ａによって操作される情報機器２０とを備えている。情報機器１０と情報機器２０とはネットワーク３０によって接続されており、両者は当該ネットワーク３０を通じて通信する。本実施の形態に係る情報機器１０，２０のそれぞれは例えば携帯電話機である。なお、ネットワーク３０には情報機器１０，２０以外の図示しない情報機器も接続されている。
【００１２】
図２は情報機器１０の構成を示すブロック図であって、図３は情報機器１０の外観を示す図である。図２，３に示されるように、本実施の形態に係る情報機器１０は、制御部１と、操作部２と、キー照明部３と、記憶部４と、無線部５と、表示部６と、音声部７と、カメラ部８とを備えており、これらの構成要素は一つの筺体内に収納されている。なお本実施の形態では、情報機器１０と情報機器２０とは同じ機種であり、それらの構成及び外観は同じであるため、情報機器２０についての詳細な説明は省略する。
【００１３】
操作部２は、複数の数字キー２ａａ、メニューキー２ａｂ及びカーソルキー２ａｃなどを含む複数の操作キー２ａを備えている。操作部２は、ユーザー１０ａによって操作キー２ａが操作されると、その操作ごとに操作情報を制御部１に伝達する。無線部５は、アンテナ、増幅器、復調器及び変調器（すべて図示せず）等を備えており、通信相手の情報機器、例えば情報機器２０から出力された電波をネットワーク３０を通じて受信して、当該電波に含まれている音声データや画像データ等の情報を取り出して制御部１に伝達する。また無線部５は、制御部１から送られてきた情報を電波に重畳して当該電波をネットワーク３０を通じて情報機器２０などの通信相手機器に出力する。
【００１４】
記憶部４は、ＲＡＭ及びＲＯＭ（ともに図示せず）を備えており、制御部１の動作プログラム等を予め記憶している。また記憶部４は、制御部１から送られてくる各種情報を記憶する。カメラ部８は、レンズ８ａや図示しない撮像素子を備えており、当該レンズ８ａに映る被写体を当該撮像素子で撮影し、その撮影画像データを制御部１に出力する。表示部６は例えば液晶表示装置であって、制御部１から送られてくる画像データに基づいてその表示画面６ａに画像を表示する。
【００１５】
音声部７は、マイク７ａとスピーカ７ｂとを備えている。マイク７ａは、本情報機器１０の外部から入力される音声を音声データに変換して制御部１に出力する。スピーカ７ｂは、制御部１から送られてくる音声データを音声に変換して外部に出力する。キー照明部３は、例えば、図示しない複数のＬＥＤ（発光ダイオード）を備えており、当該複数のＬＥＤは、複数の操作キー２ａと一対一に対応して設けられている。キー照明部３は、当該複数のＬＥＤを用いて複数の操作キー２ａのそれぞれを個別に照明することができる。そして、複数の操作キー２ａのそれぞれは、キー照明部３によって照明されることにより発光する。
【００１６】
制御部１は、ＣＰＵ等で構成されており、本情報機器１０に含まれる他の構成要素の動作を主に制御する。制御部１は、機能起動部１ａと、操作データ生成部１ｂと、操作誘導制御部１ｃとを備えている。機能起動部１ａは、操作部２に対して実行された操作に応じた所定の機能を起動する。例えば、機能起動部１ａは、操作部２に対して所定の操作が実行されると、当該操作部２から送られてくる操作情報に基づいて、メール送信機能や受信機能、あるいは受話音量や着信音量の設定機能などを起動する。操作データ生成部１ｂは、情報機器２０などの通信相手機器において所定の機能を起動するための操作を示す操作データＯＤを生成する。この操作データＯＤは、無線部５において電波に重畳されネットワーク３０を通じて通信相手機器に伝達される。
【００１７】
操作誘導制御部１ｃは、キー照明部３、表示部６及びスピーカ７ｂとともに、操作誘導部９を構成しており、キー照明部３、表示部６及びスピーカ７ｂに対して動作制御を行う。操作誘導部９は、情報機器２０などの通信相手機器が生成して出力する操作データＯＤを再生して、所定の機能を起動するための操作をユーザー１０ａに対して誘導する視聴覚認識可能出力を行う。ここで、視聴覚認識可能出力とは、ユーザー１０ａが視覚的あるいは聴覚的に認識することが可能な当該ユーザー１０ａに対する情報の出力である。
【００１８】
例えば、操作誘導部９では、キー照明部３が操作誘導制御部１ｃによって動作制御されることにより操作キー２ａを照明したり、表示部６が操作誘導制御部１ｃによって動作制御されることによりその表示画面６ａに所定の画像を表示することによって、所定の操作を誘導する視覚的に認識可能な出力が行われる。また操作誘導部９では、スピーカ７ｂが操作誘導制御部１ｃによって動作制御されることにより所定の音声を出力することによって、所定の操作を誘導する聴覚的に認識可能な出力が行われる。
【００１９】
なお本実施の形態では、情報機器１０，２０は同じ機種であるため、当該情報機器１０，２０では、操作部２に対して同一の操作を実行することが可能である。また、情報機器１０，２０は、操作部２に対して同一の操作が実行されると、同一の機能を起動することができる。
【００２０】
本実施の形態に係る情報機器システム１００では、例えば、ユーザー２０ａが情報機器２０においてある機能を起動するための操作方法を知らない場合には、当該操作方法を知っているユーザー１０ａが情報機器１０を操作することによって、情報機器１０ではユーザー２０ａが知りたい操作を示す操作データＯＤが生成される。そして、情報機器１０で生成された操作データＯＤは、ネットワーク３０を通じて情報機器２０に伝達し、当該情報機器２０の操作誘導部９で再生される。これにより、ユーザー２０ａが知りたい操作が情報機器２０において誘導され、ユーザー２０ａは当該誘導に従って情報機器２０を操作することによって所望の機能を起動できる。以下に、ユーザー１０ａがユーザー２０ａに操作方法を伝達する際の本情報機器システム１００の一連の動作について説明する。
【００２１】
図４は、情報機器１０が操作データＯＤを生成して出力するまでの当該情報機器１０の動作を示すフローチャートである。図４に示されるように、ステップＳ１において、ユーザー１０ａによって操作部２に対して所定の操作が実行されると、機能起動部１ａは操作記録モードを起動する。ここで、操作記録モードとは、操作データＯＤを生成する際に使用される、操作キー２ａに対する操作ごとの操作情報（以後、「単位操作情報」と呼ぶ）を記録する機能である。この操作記録モードにおいては、機能起動部１ａは、表示部６に画像を表示させる機能、つまり表示機能だけを起動し、着信音量設定機能などの情報機器１０に対する各種設定機能や、通信機能などは起動しない。
【００２２】
情報機器１０が操作記録モードに入ると、ユーザー１０ａは、ユーザー２０ａが情報機器２０で起動させたい機能と同一の機能を情報機器１０で起動させるための全操作を行う。この全操作は、ユーザー２０ａが起動させたい機能を起動するために情報機器２０に対して実行される全操作と同一である。ここでは、操作キー２ａに対してＮ（≧１）回操作が行われ、当該操作キー２ａはＮ回押下されるものとする。なお制御部１は、初期値が“１”の図示しないカウンタを備えており、操作記録モード中において、ユーザー１０ａがある操作を行うたびに当該カウンタのカウント値ｎを一つ増加させる。
【００２３】
ステップＳ２において、ユーザー１０ａによって操作キー２ａに対してある操作が行われると、その操作に対応する単位操作情報が操作部２から機能起動部１ａに入力される。機能起動部１ａは、ステップＳ３において、受け取った単位操作情報に応じた表示機能を起動して、表示部６を制御して所定の画像を当該表示部６に表示させる。そしてステップＳ４において、機能起動部１ａは受け取った単位操作情報をｎ番目の単位操作情報として記憶部４に記憶する。
【００２４】
次にステップＳ５において、制御部１は、上記カウンタのカウント値ｎを一つ増加させる。そしてステップＳ６において、Ｎ回のキー操作がすべて終了すると、ステップＳ７が実行される。一方で、ステップＳ６においてＮ回のキー操作がすべて終了していない場合には、再度ステップＳ２が実行されて、ユーザー１０ａによる新たな操作に対応する単位操作情報が操作部２から機能起動部１ａに入力される。機能起動部１ａは、ステップＳ３において、受け取った新たな単位操作情報に応じた画像を表示部６に表示させ、ステップＳ４において、受け取った新たな単位操作情報を記憶部４に記憶する。このようにして、記憶部４には、ユーザー１０ａが行ったすべての操作に対する単位操作情報が記憶される。
【００２５】
ステップＳ６において全操作が終了すると、ステップＳ７において、機能起動部１ａは操作記録モードを終了する。なお上述のように、操作記録モードにおいては機能起動部１ａは表示機能だけしか起動しないため、ユーザー１０ａによるＮ回の操作で通常なら着信音量設定機能などの設定機能が起動される場合であっても、Ｎ回目の操作が行われた際のステップＳ３では、当該設定機能は起動されない。
【００２６】
次にステップＳ８において、制御部１の操作データ生成部１ｂは、記憶部４に記憶されている単位操作情報をすべて読み出して、それらに基づいて操作データＯＤを生成する。これにより、ユーザー２０ａが起動させたい機能を起動するために情報機器２０に対して実行される操作と同じ操作に基づいて操作データＯＤが生成される。そして、操作データ生成部１ｂは、生成した操作データＯＤを機能起動部１ａに出力する。
【００２７】
次にステップＳ９において、機能起動部１ａは操作データ送信機能を起動して、表示部６に送信先一覧を表示させる。ユーザー１０ａの操作キー２ａに対する操作によって、送信先として情報機器２０が選択されると、ステップＳ１０において、機能起動部１ａは、操作データＯＤの送信を実行するか否かを選択する画面を表示部６に表示させる。ユーザー１０ａが送信の実行を選択すると、ステップＳ１１において、機能起動部１ａは操作データ生成部１ｂから受け取った操作データＯＤを無線部５に出力する。無線部５は、操作データＯＤを電波に重畳して情報機器２０に送信する。その後、ステップＳ１２において、機能起動部１ａは、操作データＯＤの送信が完了した旨を示す画像を表示部６に表示させたり、あるいは、その旨の音声を音声部７のスピーカ７ｂから出力させたりする。これにより、ユーザー１０ａは、操作データＯＤの送信が完了したことを認識することができる。
【００２８】
次に、操作データＯＤを受け取った情報機器２０が当該操作データＯＤを再生する際の当該情報機器２０の動作について図５を参照して説明する。図５は情報機器２０の動作を示すフローチャートである。図５に示されるように、ステップＳ２１において、情報機器２０がその無線部５において操作データＯＤを受信すると、情報機器２０の機能起動部１ａは、操作データ再生モードを起動するか否かを選択する画面を表示部６に表示させる。そしてステップＳ２２において、ユーザー２０ａの操作キー２ａに対する操作によって、操作データ再生モードの起動が選択されると、ステップＳ２３において、機能起動部１ａは操作データ再生モードを起動する。
【００２９】
操作データ再生モードが起動すると、ステップＳ２４において、操作誘導制御部１ｃは操作データＯＤに含まれる単位操作情報の解析処理を行う。ここで制御部１は、上述の操作記録モードで使用されるカウンタ以外のカウンタであって、初期値が“１”の図示しないカウンタを備えており、操作データ再生モード中において、受け取った操作データＯＤに含まれる単位操作情報を解析するたびに当該カウンタのカウント値ｎを一つ増加させる。ステップＳ２４では、操作誘導制御部１ｃは、このカウンタのカウント値ｎを参照して、ユーザー１０ａが行ったｎ番目の操作を示す単位操作情報を操作データＯＤから抽出して、当該単位操作情報が示す操作内容を認識する。
【００３０】
次にステップＳ２５において、操作誘導部９では、操作誘導制御部１ｃが、キー照明部３、表示部６あるいはスピーカ７ｂを動作制御することにより、当該操作誘導制御部１ｃで認識された操作と同一の操作を、つまりユーザー１０ａが行ったｎ番目の操作をユーザー２０ａに誘導する視聴覚認識可能出力が行われる。例えば、ユーザー１０ａがｎ番目に行った操作が、“１”を示す数字キー２ａａを押下する操作であった場合には、情報機器２０の操作誘導制御部１ｃはキー照明部３を制御して、当該キー照明部３に“１”を示す数字キー２ａａを照明させ、当該数字キー２ａａを点灯させる。あるいは、情報機器２０の操作誘導制御部１ｃは、表示部６を制御して、“１”を示す数字キー２ａａを押下する旨を表示部６に表示させる。あるいは、情報機器２０の操作誘導制御部１ｃは、音声部７を制御して、“１”を示す数字キー２ａａを押下する旨の音声をスピーカ７ｂから出力させる。これにより、ユーザー１０ａのｎ番目の操作を誘導する視聴覚認識可能出力が行われて、当該ｎ番目の操作がユーザー１０ａに誘導される。
【００３１】
次にステップＳ２６において、ユーザー２０ａが情報機器２０によって誘導された操作を当該情報機器２０に対して実行すると、例えば上記例では、“１”を示す数字キー２ａａが押下されると、ステップＳ２７において、情報機器２０の機能起動部１ａは、ユーザー２０ａによって実行された操作に応じた機能を起動する。そしてステップＳ２８において、制御部１はステップＳ２４で使用された上記カウンタのカウント値ｎを一つ増加させる。
【００３２】
次にステップＳ２９において、操作データＯＤに含まれる単位操作情報すべてに対する解析が終了し、操作データＯＤが示す全操作がユーザー２０ａによって実行されると、ステップＳ３０において、機能起動部１ａは操作再生モードを終了する。
【００３３】
一方で、ステップＳ２９において操作データＯＤに含まれる単位操作情報のうち未解析の単位操作情報が存在する場合には、再度ステップＳ２４が実行されて、新たな単位操作情報に対する解析が実行される。操作誘導部９は、ステップＳ２５において、ステップＳ２４で解析された単位操作情報が示す操作をユーザー２０ａに誘導する視聴覚認識可能出力を行い、ステップＳ２６において、ユーザー２０ａが誘導された操作を実行すると、ステップＳ２７において、機能起動部１ａは実行された操作に応じた機能を起動する。そして、ステップＳ２８が実行される。
【００３４】
このようにして、ユーザー１０ａが実行した操作が情報機器２０によって順次ユーザー２０ａに誘導されて、ユーザー２０ａは誘導される操作を順次実行する。これにより、操作データＯＤに含まれる単位操作情報のうち、最終の、つまりＮ番目の単位操作情報が示す操作がユーザー２０ａによって実行されると、ステップＳ２７では、ユーザー２０ａが起動することを望んでいた所定の機能が、機能起動部１ａによって起動される。
【００３５】
以上のように、情報機器２０のユーザー２０ａは、所望の機能を起動するための操作方法を、情報機器１０のユーザー１０ａから正確に伝達してもらうことができる。
【００３６】
次に、情報機器１０で操作データＯＤを生成し、当該操作データＯＤに基づいて情報機器２０のキー照明部３を利用してユーザー２０ａに操作を誘導する場合の本実施の形態に係る情報機器システム１００の動作例について説明する。本例では、着信イルミネーションの発光を常時停止する機能を起動させる場合について説明する。着信イルミネーションとは、通信相手機器からの電波を受信した際に点滅するＬＥＤ等の発光手段であって、図１〜３には図示していないが情報機器１０，２０は当該発光手段を備えている。
【００３７】
図６は本例における情報機器１０の表示部６の動作の様子を示す図である。図７は本例における情報機器２０のキー照明部３の動作の様子を示す図であって、図８は当該情報機器２０の表示部６の動作の様子を示す図である。まず、図６を参照して情報機器１０の動作について説明する。
【００３８】
表示部６に待ち受け画面が表示されている状態で、ユーザー１０ａによってメニューキー２ａｂが押下されると、表示部６は、機能起動部１ａに制御されることにより、図６（ａ）に示されるメニュー画面を表示する。次に、ユーザー１０ａによって、“１”を示す数字キー２ａａが押下され、項目「操作データモード」が選択されると、機能起動部１ａは操作記録モードを起動する。操作起動モードが起動すると、表示部６は、機能起動部１ａに制御されることにより、待ち受け画面を再度表示する。
【００３９】
次に、ユーザー１０ａによって“２”を示す数字キー２ａａが押下され、項目「画面・表示設定」が選択されると、機能起動部１ａは、この操作情報を記憶部４に記憶し、表示部６に図６（ｂ）に示される画面・表示設定画面を表示させる。
【００４０】
次に、ユーザー１０ａによって“３”を示す数字キー２ａａが押下され、項目「着信イルミネーション設定」が選択されると、機能起動部１ａは、この操作情報を記憶部４に記憶し、表示部６に図６（ｃ）に示される着信イルミネーション設定画面を表示させる。
【００４１】
次に、ユーザー１０ａによって“１”を示す数字キー２ａａが押下され、項目「ＯＦＦ」が選択されると、機能起動部１ａは、この操作情報を記憶部４に記憶する。このとき、情報機器１０の着信イルミネーションに対する設定は実際には行われない。その後、機能起動部１ａは、操作記録モードを終了する。
【００４２】
操作記録モードが終了すると、操作データ生成部１ｂは記憶部４に記憶されている操作情報に基づいて操作データＯＤを生成する。その後、機能起動部１ａは、表示部６に図６（ｄ）に示される送信先設定画面を表示させる。
【００４３】
次に、ユーザー１０ａによって“１”を示す数字キー２ａａが押下され、項目「情報機器２０」が選択されると、機能起動部１ａは、操作データＯＤの送信を実行するか否かを選択する画面を表示部６に表示させる。ユーザー１０ａが送信の実行を選択すると、機能起動部１ａは、生成された操作データＯＤを無線部５に出力し、当該無線部５は受け取った操作データＯＤを電波に重畳して情報機器２０に出力する。その後、情報機器１０は、操作データＯＤの送信が完了した旨をユーザー１０ａに通知する。
【００４４】
次に情報機器２０の動作について説明する。情報機器２０が情報機器１０から操作データＯＤを受け取ると、当該情報機器２０の表示部６は、機能起動部１ａによる制御によって、図８（ａ）に示されるメニュー画面を表示する。次に、ユーザー２０ａによって“１”を示す数字キー２ａａが押下され、項目「操作データモード」が選択されると、機能起動部１ａは操作データ再生モードを起動する。操作データ再生モードが起動すると、表示部６は待ち受け画面を表示する。
【００４５】
次に、情報機器２０の操作誘導制御部１ｃは、操作データＯＤを解析して、図７（ａ）に示されるように、キー照明部３にメニューキー２ａｂを照明させ、ユーザー２０ａにメニューキー２ａｂを押下する操作を誘導する。そして、ユーザー２０ａによってメニューキー２ａｂが押下されると、表示部６は、図８（ａ）に示されるメニュー画面を再度表示する。
【００４６】
次に、操作誘導制御部１ｃは、図７（ｂ）に示されるように、キー照明部３に“２”を示す数字キー２ａａを照明させる。そして、ユーザー２０ａによって“２”を示す数字キー２ａａが押下されると、表示部６は、図８（ｂ）に示される画面・表示設定画面を表示する。
【００４７】
次に、操作誘導制御部１ｃは、図７（ｃ）に示されるように、キー照明部３に“３”を示す数字キー２ａａを照明させる。そして、ユーザー２０ａによって“３”を示す数字キー２ａａが押下されると、表示部６は、図８（ｃ）に示される着信イルミネーション設定画面を表示する。
【００４８】
次に、操作誘導制御部１ｃは、図７（ｄ）に示されるように、キー照明部３に“１”を示す数字キー２ａａを照明させる。そして、ユーザー２０ａによって“１”を示す数字キー２ａａが押下されると、機能起動部１ａは、着信イルミネーションの発光を常時停止する機能を起動して、操作データ再生モードを終了する。これにより、情報機器２０は、通信相手機器からの電波を受信した場合であっても、着信イルミネーションを点滅することは無い。
【００４９】
なお、表示部６で表示される各画面において、各項目の選択を数字キー２ａａではなくカーソルキー２ａｃで行う場合には、操作対象のカーソルキー２ａｃがキー照明部３によって照明されて当該カーソルキー２ａｃの押下が誘導される。
【００５０】
以上のように、本実施の形態に係る情報機器２０では、情報機器１０から出力される操作データＯＤに基づいて、所定の操作を誘導する視聴覚認識可能出力が行われるため、当該情報機器１０を利用して、ユーザー２０ａが知りたい操作方法を当該ユーザー２０ａに正確に伝達することができる。なお、情報機器２０が操作データＯＤを生成し、情報機器１０が当該操作データＯＤに基づいて所定の操作を誘導する視聴覚認識可能出力を行う場合であっても同様である。
【００５１】
また本実施の形態では、操作データＯＤが複数の一連の操作を示す場合には、当該一連の操作において、ある一つの操作が完了してはじめて次の操作を誘導する視聴覚認識可能出力が行われる。例えば、図７，８を参照して説明した情報機器２０の動作例においては、点灯する“２”の数字キー２ａａが（図７（ｂ）参照）、ユーザー２０ａによって押下されると、“３”の数字キー２ａａが点灯して、次の操作を誘導する視聴覚認識可能出力が行われる（図７（ｃ）参照）。従って、ユーザーは一つ一つの操作の完了を確認しながら、次の操作を実行することができるため、確実に所定の機能を実行できる。
【００５２】
また本実施の形態では、複数の操作キー２ａを照明することによって、所定の機能を起動するための操作を誘導する視聴覚認識可能出力が行われているため、ユーザーは実行ずべき操作を直感的に認識することができる。従って、簡単かつ確実に所定の機能を起動できる。
【００５３】
なお、表示部６を利用して操作を誘導する際には、ユーザーによって操作される複数の操作キー２ａを表示部６に図示し、この図を利用してユーザーに操作を誘導しても良い。図９は、この場合の表示部６の表示画面６ａを示す図である。図９に示されるように、操作データ再生モードが起動すると、表示部６の表示画面６ａは、通常表示が行われる領域６ａａと、複数の操作キー２ａが図示される領域６ａｂとに分割される。機能起動部１ａは、表示部６を制御して、領域６ａａに上述の図８（ａ）〜８（ｃ）に示される画面を表示し、領域６ａｂに複数の操作キー２ａを図示する。そして、操作誘導部９は、領域６ａｂに表示される、複数の操作キー２ａを示す図２００を利用して、操作データＯＤに含まれる単位操作情報が示す操作を誘導する視聴覚認識可能出力を行う。例えば、操作誘導制御部１ｃが、機能起動部１ａを介して表示部６を制御し、当該表示部６に、複数の操作キー２ａのうちユーザーにキー操作を誘導する操作キー２ａを他の操作キー２ａとは異なった色で表示させたり、当該誘導する操作キー２ａだけを点滅表示させることによって、操作誘導部９では、図２００を利用して所定の操作を誘導する視聴覚認識可能出力が行われる。なお図９は、上述の図７（ｃ）のように、“３”を示す数字キー２ａａの押下を誘導している様子を示している。
【００５４】
このように、表示部６に図示される複数の操作キー２ａを利用して、所定の操作を誘導する視聴覚認識可能出力を行うことによって、ユーザーは行うべき操作を直感的に認識することができる。従って、簡単かつ確実に所定の機能を起動できる。
【００５５】
また本実施の形態では、情報機器１０と情報機器２０とは互いに同じ機種であったが、機種が異なる場合であっても、同一の操作によって同一の機能を起動することが可能であれば、同様の効果を得ることができる。
【００５６】
また本実施の形態では、情報機器２０に対する操作と同一の操作を情報機器１０に対して実行することによって、情報機器２０に入力する操作データＯＤを生成しているが、操作データＯＤは単なる電子データであるため、情報機器２０に対する操作と同じ操作を実行することなく、情報機器１０，２０以外の情報機器によって操作データＯＤを生成することも可能である。情報機器１０，２０が携帯電話機である本例においては、例えば、パーソナルコンピュータ等を用いて操作データＯＤを生成しても良い。このようにして生成された操作データＯＤは、情報機器１０に入力されて、当該情報機器１０から情報機器２０に入力されても良いし、当該操作データＯＤを生成した情報機器をネットワーク３０に接続して、当該情報機器から情報機器２０に入力されても良い。
【００５７】
本実施の形態のように、情報機器２０に対する操作と同じ操作を情報機器１０に対して実行することによって、情報機器２０に入力する操作データＯＤを生成できる場合には、情報機器１０，２０に対する操作知識だけで操作データＯＤを生成できるため、当該操作データＯＤを簡単に生成することができる。
【図面の簡単な説明】
【００５８】
【図１】本発明の実施の形態に係る情報機器システムの構成を示すブロック図である。
【図２】本発明の実施の形態に係る情報機器の構成を示すブロック図である。
【図３】本発明の実施の形態に係る情報機器の外観を示すブロック図である。
【図４】本発明の実施の形態に係る情報機器の動作を示すフローチャートである。
【図５】本発明の実施の形態に係る情報機器の動作を示すフローチャートである。
【図６】本発明の実施の形態に係る表示部の動作を示す図である。
【図７】本発明の実施の形態に係るキー照明部の動作を示す図である。
【図８】本発明の実施の形態に係る表示部の動作を示す図である。
【図９】本発明の実施の形態に係る表示部の変形例の表示画面を示す図である。
【符号の説明】
【００５９】
１ａ  機能起動部、１ｂ  操作データ生成部、２  操作部、２ａ  操作キー、６  表示部、９  操作誘導部、１０，２０  情報機器、３０  ネットワーク、１００  情報機器システム、ＯＤ  操作データ。
【図１】
2006331153.tif 000003
【図２】
2006331153.tif 000004
【図３】
2006331153.tif 000005
【図４】
2006331153.tif 000006
【図５】
2006331153.tif 000007
【図６】
2006331153.tif 000008
【図７】
2006331153.tif 000009
【図８】
2006331153.tif 000010
【図９】
2006331153.tif 000011